(57)【要約】【課題】樹脂製フロントフレームのレンズの交換を容易にし、更に連結部の強度を上げる事。【解決手段】左右のレンズを保持する樹脂製のフロントフレーム（１０）は左右両端部で横に分割され、分割された向きあう上下面（１２，１４）には嵌合用の凹部又は凸部（１６，１８）が設けられ、そして、前記分割された上下面の間には、フロントフレーム上下との固定用のネジ穴（１３）と前記フロントフレーム上下面の嵌合用の凹部又は凸部に嵌合する凸部又は凹部が設けられ、外側端部には固定用ネジ穴と雌型ヒンジ部（２２）が形成された樹脂製間挿補強部品（２０）が挟まれる様にされ、そして、前記雌型ヒンジ部に嵌合する雄型ヒンジ部（２４）をその端部に有するサイドフレーム（３０）はパイプナット（２５）とそれに螺合するネジによって、フロントフレームに回動可能に連結した。【選択図】図６
2016206621.tif 000002
【特許請求の範囲】
【請求項１】
左右のレンズを保持する樹脂製のフロントフレームは左右両端部で横に分割され、分割された向きあう上下面には嵌合用の凹部又は凸部が設けられ、そして、前記分割された上下面の間には、フロントフレーム上下との固定用のネジ穴と前記フロントフレーム上下面の嵌合用の凹部又は凸部に嵌合する凸部又は凹部が設けられ、外側端部には固定用ネジ穴と雌型ヒンジ部が形成された樹脂製間挿補強部品が挟まれる様にされ、そして、前記雌型ヒンジ部に嵌合する雄型ヒンジ部をその端部に有するサイドフレームはパイプナットとそれに螺合するネジによって、フロントフレームに回動可能に連結された事を特徴とするフロントフレームとサイドフレームとの連結構造。
【請求項２】
前記サイドフレームが樹脂製である事を特徴とする請求項１記載のフロントフレームとサイドフレームとの連結構造。
【発明の詳細な説明】
【技術分野】
【０００１】本発明は樹脂製フロントフレームとサイドフレームとの間の補強された連結構造に関する。
【背景技術】
【０００２】従来、（イ）図１の様に樹脂製のフロントフレームのヨロイ部にはヒンジ部（丁番）を埋め込んだ物が大多数用いられて来ていた。その際、樹脂製眼鏡フロントフレームにレンズを入れる際には、フロントフレームに熱をかけてフレームを膨張させてレンズを挿入していた。これは樹脂製フレームだと強度が足りず金属製フレームの様に智を形成する事が困難であった為である。【０００３】又、（ロ）図２の様に樹脂製フロントフレーム左右端部を横に分割しその外側端部にネジ止めをしてヒンジ部（丁番）を形成した物も用いられてきた。
【発明の概要】
【発明が解決しようとする課題】
【０００４】しかし、（イ）の場合は、レンズを組み付けるのに熱を掛けるのは危なくて、手間も時間も掛っていた。又、（ロ）の場合は、図３の様にサイドフレームを開いた際、ちょっと力を入れて外側に開き過ぎると、梃子の原理により、Ａの力点に力を入れる事により支点（丁番ネジ部）を中心としてＢの作用点に荷重が多く掛かり過ぎ、金属製フレームでは起こり得ない、ネジ外れ、部品のひび割れ、レンズ外れ等の事故が多発してしまっていた。それは、図４の様にＢに荷重が掛かる事により上下に広げる力Ｆが働くと考えられる。
【課題を解決するための手段】
【０００５】そこで本発明に於いては、上記課題を解決する為に、左右のレンズを保持する樹脂製のフロントフレームは左右両端部で横に分割され、分割された向きあう上下面には嵌合用の凹部又は凸部が設けられ、そして、前記分割された上下面の間には、フロントフレーム上下との固定用のネジ穴と前記フロントフレーム上下面の嵌合用の凹部又は凸部に嵌合する凸部又は凹部が設けられ、外側端部には固定用ネジ穴と雌型ヒンジ部が形成された樹脂製間挿補強部品が挟まれる様にされ、そして、前記雌型ヒンジ部に嵌合する雄型ヒンジ部をその端部に有するサイドフレームはパイプナットとそれに螺合するネジによって、フロントフレームに回動可能に連結された事を特徴とするフロントフレームとサイドフレームとの連結構造を提供する手段を採った。【０００６】更に、サイドフレームを樹脂製にしても強度が保てるようになった。
【発明の効果】
【０００７】本発明により、樹脂製のフロントフレームに於いても、金属製フロントフレームと同様に、ネジの開け閉めだけでレンズの組み付けが簡単に行える事となり、サイドフレームを外側に過開拡させても荷重が分散出来、レンズ外れや部品のひび割れ、ネジの緩み等の故障の発生も少なく安心して掛けられる事となった。
【図面の簡単な説明】
【０００８】
【図１】従来図
【図２】従来説明図
【図３】従来説明図
【図４】従来説明図
【図５】本発明の要部分解平面図
【図６】本発明の要部分解正面図
【図７】本発明の組み立て後の要部正面図
【図８】本発明の部品の斜視図
【発明を実施するための最良の形態】
【０００９】左右のレンズを保持する樹脂製のフロントフレームは左右両端部で横に分割され、分割された向きあう上下面には嵌合用の凹部又は凸部が設けられ、そして、前記分割された上下面の間には、フロントフレーム上下との固定用のネジ穴と前記フロントフレーム上下面の嵌合用の凹部又は凸部に嵌合する凸部又は凹部が設けられ、外側端部には固定用ネジ穴と雌型ヒンジ部が形成された樹脂製間挿補強部品が挟まれる様にされ、そして、前記雌型ヒンジ部に嵌合する雄型ヒンジ部をその端部に有する樹脂製サイドフレームはパイプナットとそれに螺合するネジによってフロントフレームに回動可能に連結された事を特徴とするフロントフレームとサイドフレームとの連結構造。
【実施例１】
【００１０】本発明の実施例を図によって説明すると、図５及び図６は本発明の実施例の要部平面図と要部正面図であり、左右のレンズを保持する樹脂製のフロントフレーム１０は左右両端部で横に分割され、分割された向きあう上下面１２，１４には嵌合用の凹部又は凸部１６，１８が設けられる。図のこの場合は凸部が設けられている。そして、前記分割された上下面１２，１４の間には、フロントフレーム上下との固定用のネジ穴１３と前記フロントフレーム上下面の嵌合用の凹部又は凸部に嵌合する凸部又は凹部１５，１５ａが設けられ、外側端部にはフロントフレームに固定する為の固定用ネジ穴１７，１７ａと雌型ヒンジ部２２が形成された樹脂製間挿補強部品２０が挟まれる様に設けられている。そして、前記雌型ヒンジ部に嵌合する雄型ヒンジ部２４をその端部に有するサイドフレーム３０はパイプナット２５とそれに螺合するネジ２６によって、フロントフレーム１０に回動可能に連結されている。【００１１】図７は図６から組み立てられた状態の正面図であり、サイドフレームを過開拡しようとする荷重はＢ近辺で、上フロントフレーム、樹脂製間挿補強部品、下フロントフレームの少なくとも３か所以上に分散されフロントフレーム１０にダメージを与えるほどではなくなってしまっている。【００１２】図８は本発明の樹脂製間挿補強部品の斜視図で有り、簡単な構造のこの部品を使用する事により、サイドフレームに掛けられた荷重が簡単に分散される。この場合樹脂製間挿補強部品は好ましくはエンジニアリングプラスチックであっても良い。
【産業上の利用可能性】
【００１３】カラフルな樹脂製フロントフレームの使用の機会が増え、樹脂製眼鏡の不良品の発生を抑え、デザイン的にも画期的なものが可能となってくる。
【符号の説明】
【００１４】１０            樹脂製フロントフレーム
１２，１４      分割上下面
１５            嵌合凹部
１６，１８      嵌合凸部
２０            樹脂製間挿補強部品
２２            雌型ヒンジ部
２４            雄型ヒンジ部
２５            パイプナット
２６            ネジ
３０            サイドフレーム
Ａ              力点
Ｂ              作用点
Ｃ              支点
Ｆ              荷重
【図１】
2016206621.tif 000003
【図２】
2016206621.tif 000004
【図３】
2016206621.tif 000005
【図４】
2016206621.tif 000006
【図５】
2016206621.tif 000007
【図６】
2016206621.tif 000008
【図７】
2016206621.tif 000009
【図８】
2016206621.tif 000010